(57)【要約】      （修正有）【課題】照明を備えたシーリングファンにおいて、照明を直視しても眩しくなく、照明の届く範囲の広いシーリングファンを提供する。【解決手段】モータ１０２の下面に固定された制御ボックス１０６にリング状に露出した導光板１と、前記制御ボックス１０６内部に前記導光板１に向けて設けた複数の照明素子２からなる照明部４と、前記制御ボックス１０６に収納される制御手段とを備え、照明素子からの光を導光板１で拡散させることにより、照明を直視しても眩しくなく、照明の届く範囲の広いシーリングファンが得られる。【選択図】図１
2010071085.tif 000002
【特許請求の範囲】
【請求項１】
中心をシャフトで軸支される外転型のモータと、このモータの回転子に固定される羽根と、前記モータの固定子の下面に固定される制御ボックスと、この制御ボックスの下面にリング状に露出した導光板と、前記導光板に向けて設けた複数の照明素子からなる照明部と、前記制御ボックスに収納される制御手段とを備え、前記制御手段を、前記モータを制御するモータ制御部と、前記照明部を制御する照明制御部と、リモコンの赤外線信号を受信するセンサー部とから構成したシーリングファン。
【請求項２】
照明素子を、単一色の発光ダイオードにより構成した請求項１記載のシーリングファン。
【請求項３】
照明素子を、単一色の発光色の異なる発光ダイオードにより構成した請求項１記載のシーリングファン。
【請求項４】
照明素子を、１個の素子で赤・緑・青の３色の発光が可能な発光ダイオードにより構成した請求項１記載のシーリングファン。
【請求項５】
照明制御部は風量に対応した輝度で照明部を点灯するように構成した請求項１〜４のいずれかに記載シーリングファン。
【請求項６】
照明制御部は風量に対応した数の照明部の発光ダイオードを点灯するように構成した請求項１〜４のいずれかに記載シーリングファン。
【請求項７】
照明制御部は風量に対応した色で照明部を点灯するように構成した請求項１または３〜４のいずれかに記載シーリングファン。
【請求項８】
照明部の最大の輝度をリモコンで設定可能とする構成にした請求項１〜７のいずれかに記載シーリングファン。
【請求項９】
リモコン操作により風量が変えられた場合、照明制御部は一定時間だけ風量に対応した照明部の点灯表示を行い、それ以外はリモコンで自由に発光色と輝度が選択できるように構成した請求項１〜７記載のシーリングファン。
【請求項１０】
時計カウント手段を設け、照明制御部は昼と夜で照明部の輝度を変えるように構成した請求項１〜８記載のシーリングファン。
【請求項１１】
時計カウント手段を設け、リモコン操作により、昼と夜で照明部の輝度を設定できるように構成した請求項１０記載のシーリングファン。
【請求項１２】
時計カウント手段とシーリングファンとは別の場所にスイッチを設け、このスイッチでシーリングファンの電源を入れた時、時計カウント手段により夜と判定された場合に照明制御部は照明部を点灯するように構成した請求項１０または１１記載のシーリングファン。
【発明の詳細な説明】
【技術分野】
【０００１】
本発明は、一般家庭や事務所等で使用されるシーリングファンの照明に関する。
【背景技術】
【０００２】
冷暖房機と併用して使用されるシーリングファンは、天井から涼風を供給するとともに、冷房時に床面に偏っている冷気を拡散させ、室内の温度を均一化させる機能が快適で健康にもよく、かつ、冷房機器を省エネ運転できる経済効果から普及が広がりつつある。
【０００３】
従来、この種のシーリングファンの一例として照明器具を設けた天井扇風機が知られている（  例えば、特許文献１  参照）。
【０００４】
以下、そのシーリングファンについて図１５〜１６を参照しながら説明する。
【０００５】
図１５、１６に示すように、中心をシャフト１０１で軸支される外転型のモータ１０２と、このモータの回転子１０３に固定される羽根１０４と、前記モータ１０２の固定子１０５の下面に固定される制御ボックス１０６と、この制御ボックス１０６の下面に露出して設けた複数の照明素子からなる照明部１０７と、前記制御ボックスに収納される制御手段１０８で構成され、制御手段１０８は、モータ１０２を制御するモータ制御部１０９と、照明部１０７を制御する照明制御部１１０と、リモコンの赤外線信号を受信するセンサー部１１１で構成されている。
【０００６】
上記構成において、シーリングファンの運転時には、制御手段１０８が、モータ制御部１０９を介してモータ１０２に通電し、羽根１０４が回転して送風が行なわれる。
【０００７】
一方、照明は制御手段１０８に設けた照明制御部１１０を介して照明部１０７が点灯する。
【０００８】
また、リモコンを操作すると、制御手段１０８に設けたセンサー部１１１を介して信号がモータ制御部１０９に伝達されシーリングファンが運転制御されることとなる。
【特許文献１】特開２００７−１０７４１９号公報
【発明の開示】
【発明が解決しようとする課題】
【０００９】
このような従来の天井扇風機では、照明部１０７がシーリングファンの下面から直接床面に向けて光を出す構造となっているので、ＬＥＤは指向角度が狭いので照明の届く範囲が狭いという課題があった。
【００１０】
また、輝度を上げると、照明を直視した場合に非常に眩しいという課題があった。
【００１１】
本発明は、このような従来の課題を解決するものであり、照明を直視しても眩しくなく、照明の届く範囲の広いシーリングファンを提供することを目的としている。
【課題を解決するための手段】
【００１２】
本発明の除湿装置は上記目的を達成するために、中心をシャフトで軸支される外転型のモータと、このモータの回転子に固定される羽根と、前記モータの固定子の下面に固定される制御ボックスと、この制御ボックスの下面にリング状に露出した導光板と、前記導光板に向けて設けた複数の照明素子からなる照明部と、前記制御ボックスに収納される制御手段とを備え、前記制御手段を、前記モータを制御するモータ制御部と、前記照明部を制御する照明制御部と、リモコンの赤外線信号を受信するセンサー部から構成し、照明部からの光は導光板を介して間接的に床面を照らすようにしたものである。
【００１３】
この手段により眩しさを低減し、広い範囲に照明の届くシーリングファンが得られる。
【００１４】
また、他の手段は、照明素子を、単一色の発光ダイオードにより構成したものである。
【００１５】
この手段により、発光ダイオードからの直接光や導光板からの間接光がセンサー部に入ってもセンサー部は影響を受けないので、センサー部に近接して照明部を内蔵することができるシーリングファンが得られる。
【００１６】
また、他の手段は、照明素子を、単一色の発光色の異なる発光ダイオードにより構成したものである。
【００１７】
この手段により、照明の色を数種類に変えることができるシーリングファンが得られる。
【００１８】
また、他の手段は、照明素子を、１個の素子で赤・緑・青の３色の発光が可能な発光ダイオードにより構成したものである。
【００１９】
この手段により、照明の色を自由に変えることができるシーリングファンが得られる。
【００２０】
また、他の手段は、風量に対応した輝度で照明部を点灯するように構成したものである。
【００２１】
この手段により、風量設定表示を別に設ける必要のないシーリングファンが得られる。
【００２２】
また、他の手段は、風量に対応した数の照明部の発光ダイオードを点灯するように構成したものである。
【００２３】
この手段により、設定した風量を確実に報知できるシーリングファンが得られる。
【００２４】
また、他の手段は、風量に対応した色で照明部を点灯するように構成したものである。
【００２５】
この手段により、設定した風量を確実に報知できるシーリングファンが得られる。
【００２６】
また、他の手段は、照明部の最大の輝度をリモコンで設定可能とする構成にしたものである。
【００２７】
この手段により、就寝時など照明が必要以上に明るくならないシーリングファンが得られる。
【００２８】
また、他の手段は、リモコン操作により風量が変えられた場合、照明制御部は一定時間だけ風量に対応した照明部の点灯表示を行い、それ以外はリモコンで自由に発光色と輝度が選択できるように構成したものである。
【００２９】
この手段により、風量設定時には風量を確実に報知でき、それ以外は好みに応じて色と明るさが設定できるシーリングファンが得られる。
【００３０】
また、他の手段は、時計カウント手段を設け、照明制御部は昼と夜で照明部の輝度を変えるように構成したものである。
【００３１】
この手段により、昼と夜とで自動的に照明の明るさが変るシーリングファンが得られる。
【００３２】
また、他の手段は、時計カウント手段を設け、リモコン操作により、昼と夜で照明部の輝度を設定できるように構成したものである。
【００３３】
この手段により、好みに応じて昼と夜の明るさを設定しておけば、自動的に部屋の明るさが変るシーリングファンが得られる。
【００３４】
また、他の手段は、時計カウント手段とシーリングファンとは別の場所にスイッチを設け、このスイッチでシーリングファンの電源を入れた時、時計カウント手段により夜と判定された場合に照明制御部は照明部を点灯するように構成したものである。
【００３５】
この手段により、昼で部屋が明るいときには照明が点灯することがないので、スイッチを入れてシーリングファンを運転する場合にも照明を消灯する手間が省け、夜間部屋が暗い場合には照明が点灯するため、暗闇でリモコンを探して照明を点灯させる必要がないシーリングファンが得られる。
【発明の効果】
【００３６】
本発明によれば、照明を直視しても眩しくなく、照明の届く範囲の広いシーリングファンを提供できる。
【発明を実施するための最良の形態】
【００３７】
本発明の請求項１記載の発明は、中心をシャフトで軸支される外転型のモータと、このモータの回転子に固定される羽根と、前記モータの固定子の下面に固定される制御ボックスと、この制御ボックスの下面にリング状に露出した導光板と、前記導光板に向けて設けた複数の照明素子からなる照明部と、前記制御ボックスに収納される制御手段とを備え、前記制御手段を、前記モータを制御するモータ制御部と、前記照明部を制御する照明制御部と、リモコンの赤外線信号を受信するセンサー部とから構成したものであり、照明部からの光は導光板で拡散されてシーリングファン下部から床面を広く照らすという作用を有する。
【００３８】
また、照明素子を、単一色の発光ダイオードにより構成したものであり、形状が小さく発熱も少ないので、制御ボックスをコンパクトにできるという作用を有する。
【００３９】
また、照明素子を、単一色の発光色の異なる発光ダイオードにより構成したものであり、数種類の照明の色を選択できるという作用を有する。
【００４０】
また、照明素子を、１個の素子で赤・緑・青の３色の発光が可能な発光ダイオードにより構成したものであり、３原色の他、２個もしくは３個同時に点灯することにより３原色と合わせ白色を含む７色に照明の色を変えることができるという作用を有する。
【００４１】
また、照明制御部は風量に対応した輝度で照明部を点灯するように構成したものであり、常に設定風量を明るさで確認できるという作用を有する。
【００４２】
また、照明制御部は風量に対応した数の照明部の発光ダイオードを点灯するように構成したものであり、常に設定風量を導光板の光る面積で確認できるという作用を有する。
【００４３】
また、照明制御部は風量に対応した色で照明部を点灯するように構成したものであり、常に設定風量を照明の色で確認できるという作用を有する。
【００４４】
また、照明部の最大の輝度をリモコンで設定可能とする構成にしたものであり、発光ダイオードに流す電流を制限することにより、消費電力を低減できるという作用を有する。
【００４５】
また、リモコン操作により風量が変えられた場合、照明制御部は一定時間だけ風量に対応した照明部の点灯表示を行い、それ以外はリモコンで自由に発光色と輝度が選択できるように構成したものであり、風量設定表示と照明を共用できるという作用を有する。
【００４６】
また、時計カウント手段を設け、照明制御部は昼と夜で照明部の輝度を変えるように構成したものであり、昼と夜でリモコンにより照明の設定を変更する手間が省けるという作用を有する。
【００４７】
また、時計カウント手段を設け、リモコン操作により、昼と夜で照明部の輝度を設定できるように構成したものであり、好みに応じて昼と夜の明るさを設定しておけば、自動的に部屋の明るさが変るので、リモコンにより照明の設定を変更する手間が省けるという作用を有する。
【００４８】
また、時計カウント手段とシーリングファンとは別の場所にスイッチを設け、このスイッチでシーリングファンの電源を入れた時、時計カウント手段により夜と判定された場合に照明制御部は照明部を点灯するように構成したものであり、夜間部屋が暗い場合には照明が点灯するため、リモコンで照明を点灯させる手間が省けるという作用を有する。
【００４９】
以下、本発明の実施の形態について図面を参照しながら説明する。
【００５０】
（実施の形態１）
以下、本発明の実施の形態１について図１〜図３を参照しながら説明する。
【００５１】
なお、従来例と同一部分については同一の番号を付し、詳細な説明は省略する。
【００５２】
中心をシャフト１０１で軸支される外転型のモータ１０２と、このモータの回転子１０３に固定される羽根１０４と、前記モータの固定子１０５の下面に固定される制御ボックス１０６と、この制御ボックス１０６の下面にリング状に露出し、露出した下部の断面は半円形状である導光板１と、前記導光板１に向けて設けた複数の照明素子２を単一色たとえば赤色の発光ダイオード３で構成した照明部４と、前記制御ボックス１０６に収納される制御手段５とを備え、図２に示すように、前記制御手段５を前記モータを制御するモータ制御部１０９と、前記照明部４を制御する照明制御部６と、リモコンの赤外線信号を受信するセンサー部１１１とから構成する。
【００５３】
図３は導光板１と発光ダイオード３の位置関係を示す図で、リング状の導光板１の円周を均等に８分割した上方に、発光ダイオード３を８個、水平方向に発光するように配置している。導光板１の発光ダイオード３からの入光部は上方向に垂直に立ち上がり、入った光が直接下方に反射せず円周方向に反射するように垂直に立ち上がった面からは下方向になだらかな傾斜になっている。また、発光ダイオード３の発光源が下方から直接見えないように、発光ダイオード３の下方と導光板１の間は制御ボックス１０６で隔離されており、導光板１から上方向と側面方向に出た光を反射するように、導光板１の上部および側面は制御ボックス１０６で覆われている。
【００５４】
上記構成において、シーリングファンの運転時には、制御手段５から、モータ制御部１０９を介してモータ１０２に通電され、羽根１０４が回転して送風が行なわれる。
【００５５】
一方、制御手段５に設けた照明制御部６を介して複数の照明素子２よりなる照明部４が点灯し、照明素子２から出た光は導光板１の垂直の面から入り、傾斜の面で円周方向のやや下向きに反射し、下面で一部は反射し、一部は面を透過することにより導光板１が発光する。導光板１の半円形になっている下面で反射した光は上面や側面で透過と反射し、上面や側面で透過した光は制御ボックス１０６で反射し再び導光板１に入る。前記のように導光板１と制御ボックス１０６で反射と透過を繰り返すことにより、導光板１全体がほぼ均一に光を発することとなる。さらに、導光板１の下部の露出部分を半円形にすることにより、導光板１から放射される光は真下だけでなく、半円形の部分から均一に全方向に放射される。
【００５６】
また、リモコン（図示せず）を操作すると、制御手段５に設けたセンサー部１１１を介してシーリングファンが運転制御されることとなる。
【００５７】
このように実施の形態１によれば、発光ダイオード３の光を一度導光板１に入れ、導光板１から光がシーリングファンから下方に出る構成としたので、照明素子２の光が直接目に入ることがなく眩しさがなくなり、導光板１から出る光は広範囲に広がるので、部屋全体を均一に明るくすることができる。
【００５８】
（実施の形態２）
図４に示すように、照明素子２を単一色の発光色の異なる発光ダイオードたとえば赤色発光ダイオード７、黄色発光ダイオード８、緑色発光ダイオード９、青色発光ダイオード１０の４色を導光板１の円周を均等に８分割した上方に、２個ずつ配置している。
【００５９】
上記構成においては、黄色発光ダイオード８のみ点灯すれば、導光板１は黄色に発光するというように、照明の色を４種類に変えることができることとなる。
【００６０】
（実施の形態３）
照明素子２を、１個の素子で赤・緑・青の３色の発光が可能な発光ダイオード３を導光板１の円周を均等に８分割した上方に８個配置している。
【００６１】
上記構成においては、１個の素子の中の赤、緑、青の１つのチップのみを点灯すれば基本の３色を発光でき、例えば赤と緑のチップを同時に点灯すれば黄色に発光するように２個同時に点灯することにより黄色、水色、紫色の３色を発光でき、赤、緑、青すべて点灯すれば白色で発光でき、単純に点灯する色と個数を変化させることにより７色が発光可能となる。
【００６２】
さらに図５に示すように、２つまたは３つのチップの点灯する時間をパルス幅で制御することにより、自由な色を発光可能となる。
【００６３】
（実施の形態４）
図６に示すように、制御手段５の照明制御部６は風量例えば弱、中、強に対応して点灯する発光ダイオード３のパルスの幅を増加させるように制御する。
【００６４】
上記構成において、点灯するパルス幅が増加すると、発光ダイオード３の輝度が大きくなり導光板１が明るくなり、設定されている風量を導光板１の明るさにより報知することができる。
【００６５】
（実施の形態５）
図７に示すように、制御手段５の照明制御部６は風量例えば弱、中、強に対応じて弱の場合には発光ダイオード３を１個、中の場合には発光ダイオード３を２個、強の場合には発光ダイオード３を３個点灯するように制御する。
【００６６】
上記構成において、点灯する発光ダイオード３の数量が変ると、導光板１の発光する部分の面積が増えることにより、設定されている風量を報知することができる。
【００６７】
（実施の形態６）
図８に示すように、制御手段５の照明制御部６は風量例えば弱、中、強に対応じて弱の場合には黄色発光ダイオード８を、中の場合には緑色発光ダイオード９を、強の場合には青色発光ダイオード１０を点灯するように制御する。
【００６８】
上記構成において、点灯する発光ダイオードの色が変ることにより、導光板１の発光する色が変わり、設定されている風量を報知することができる。
【００６９】
（実施の形態７）
図９に示すように、制御手段５の照明制御部６はリモコンの操作により点灯する発光ダイオード３の１周期におけるパルス幅の最大値を設定し、輝度を変更する場合には設定したパルス幅の最大値を上限とする範囲でパルス幅を変えるように制御する。
【００７０】
上記構成において、最大の輝度を設定することにより不必要に照明が明るくならず、就寝時には睡眠を妨げられるようなことを防止することができる。
【００７１】
（実施の形態８）
図１０、１１に示すように、緑色の照明を点灯させている時にリモコンで例えば風量を中から弱に切換えられた場合、制御手段５の照明制御部６は緑色発光ダイオード９を消灯し、青色発光ダイオード１０を一定時間例えば確実に色が変ったと認識できる５秒間点灯した後、青色発光ダイオード１０を消灯・緑色発光ダイオード９を点灯し元の状態戻すように制御する。
【００７２】
上記構成において、照明と風量設定表示を時間により切換えることで、風量設定表示を別途設ける必要がなくなる。
【００７３】
（実施の形態９）
図１２に示すように、制御手段５に時刻をカウントする時計カウント手段１１を設け、この時計カウント手段１１により制御手段５は現在の時刻を知ることができる。
【００７４】
上記構成において、リモコンにより昼間と夜間の輝度を設定しておくことにより、制御手段５の照明制御部６は、午前７時〜午後１０時の昼間は図１３のように設定された輝度に対応するパルスの幅で発光ダイオード３を点灯し、午後１０時を過ぎるとパルス幅を変更し夜間時の設定輝度に変更するよう制御する。
【００７５】
このように、昼間と夜間で自動的に輝度が変るので、就寝時等照明をリモコンで操作する必要がなくなる。
【００７６】
（実施の形態１０）
図１４に示すように、シーリングファンの本体とは別の場所、例えば壁等にスイッチ１２を設け、電源を入り切りできるように構成されている。
【００７７】
上記構成により、スイッチ１２が入れられ、制御手段５に通電された場合、制御手段５は時計カウント手段１１から現在の時刻を読み取り、夜間であった場合には照明制御部６を介して発光ダイオード３を点灯する。
【００７８】
このように、スイッチ１２を入れたとき夜間のみ照明が点灯するので、部屋に他の照明がついていない場合、暗い中でリモコンを探して照明を点灯する手間が省ける。また昼間時に照明が必要ない場合には、照明が点灯しないので逆にリモコンで照明を消灯する必要もなくなる。
【産業上の利用可能性】
【００７９】
導光板を介して主照明としての用途のほか、シーリングファンの上部や側面に導光板を配置することによりイルミネーションや間接的な照明にも適用できる。
【図面の簡単な説明】
【００８０】
【図１】本発明の実施の形態１のシーリングファンの構造を示す図
【図２】同電気的な構成を示す図
【図３】同導光板と発光ダイオードの位置関係を示す図（（ａ）発光ダイオードの配置をを示す図、（ｂ）導光板と発光ダイオードと制御ボックスの構造を示す図、（ｃ）導光板と制御ボックスの断面構造を示す図）
【図４】実施の形態２の発光ダイオードの配置図
【図５】実施の形態３の発光ダイオードの点灯のタイミングチャート
【図６】実施の形態４の発光ダイオードの点灯のタイミングチャート
【図７】実施の形態５の発光ダイオードの点灯状態を示す図（（ａ）弱風量時の点灯状態を示す図、（ｂ）中風量時の点灯状態を示す図、（ｃ）強風量時の点灯状態を示す図）
【図８】実施の形態６の発光ダイオードの点灯状態を示す図（（ａ）弱風量時の点灯状態を示す図、（ｂ）中風量時の点灯状態を示す図、（ｃ）強風量時の点灯状態を示す図）
【図９】実施の形態７の発光ダイオードの点灯のタイミングチャート
【図１０】実施の形態８の発光ダイオードの点灯状態を示す図（（ａ）通常時の点灯状態を示す図、（ｂ）風量を中から強へ変更した場合の一定時間のみの点灯状態を示す図）
【図１１】同点灯のタイミングチャート
【図１２】実施の形態９の電気的な構成を示す図
【図１３】同点灯のタイミングチャート
【図１４】実施の形態１０の電気的な構成を示す図
【図１５】従来のシーリングファンの構造を示す図
【図１６】同電気的な構成を示す図
【符号の説明】
【００８１】
１      導光板
２      照明素子
３      発光ダイオード
４      照明部
５      制御手段
６      照明制御部
１１    時計カウント手段
１２    スイッチ
１０１  シャフト
１０２  モータ
１０３  回転子
１０４  羽根
１０５  固定子
１０６  制御ボックス
【図１】
2010071085.tif 000003
【図２】
2010071085.tif 000004
【図３】
2010071085.tif 000005
【図４】
2010071085.tif 000006
【図５】
2010071085.tif 000007
【図６】
2010071085.tif 000008
【図７】
2010071085.tif 000009
【図８】
2010071085.tif 000010
【図９】
2010071085.tif 000011
【図１０】
2010071085.tif 000012
【図１１】
2010071085.tif 000013
【図１２】
2010071085.tif 000014
【図１３】
2010071085.tif 000015
【図１４】
2010071085.tif 000016
【図１５】
2010071085.tif 000017
【図１６】
2010071085.tif 000018